(57)【特許請求の範囲】
【請求項１】
庫内の背面壁に冷却器と庫内の戻りダクトとを並設し、この戻りダクトの吐出冷気を上記冷却器の片側下方より吸込ませ、該冷却器の下部を吸込口とし上部を吐出口とし、且つ冷却器の反背面壁側前部に密着もしくは近接して仕切板を設けた構造の冷蔵庫に於いて、
前記冷却器の上部中央に配設される冷気循環用ファンと、
前記冷却器の下方に配設され、前記冷却器に付着した霜を除霜する除霜ヒータと、
冷却器の反背面壁側前部に設けられた仕切板に形成された冷気バイパス通路とを備え、
前記冷却器の冷却フィン間隔は前記戻りダクトの冷気吐出口に近い側が大きく設定され、
前記冷気バイパス通路は、高さＬが前記冷蔵庫の幅方向について段階的に変化し、且つ前記戻りダクト側の端部の高さが反戻りダクト側の端部での高さより高く、その通路の幅Ｍが一定の第一のバイパス通路と、
前記第一のバイパス通路と連通し前記仕切板の通風方向で通路幅Ｍが段階的に変化し仕切板の上側ほどその通路幅Ｍが狭くなり、前記通風方向で前記戻りダクトより最下流の位置で通路幅が０となる第二のバイパス通路とを有する冷蔵庫。
【発明の詳細な説明】
【０００１】
【発明の属する技術分野】
冷却器の前面に当接させた仕切板に冷気バイパス通路を形成し、冷却器の霜詰まりを改善した冷蔵庫に関する。
【０００２】
【従来の技術】
従来の冷蔵庫における冷却器を図５，図６を用いて説明する。図５は従来の冷蔵庫の要部縦断面図、図６は従来の冷蔵庫の冷却器の着霜状態を示す説明図である。
【０００３】
１０１は冷蔵庫本体であり、該冷蔵庫本体１０１は外箱と内箱との間にウレタンフォーム等の断熱材を充填し貯蔵室を形成する断熱箱体と、上方より冷蔵室１０３，野菜室１０５，冷凍室１０７と、その前面には各貯蔵室を開閉する扉１０９，１１１，１１３とで形成されている。１１５は仕切壁であり、該仕切壁１１５は上記野菜室１０５と冷凍室１０７とを熱的に仕切るために設けられている。１１７は冷却器であり、該冷却器１１７は庫内の背面壁１１９に配設され、周知の冷凍サイクルの一部を構成する圧縮機１２０に接続され、庫内の熱を吸熱している。１２１は仕切板であり、該仕切板１２１は上記冷却器１１７の前面に当接されていて上記冷却器１０７と冷却器１１７のある冷却器室とを区画している。１２２は冷気循環用ファンであり、該冷気循環用ファン１２２は上記冷却器１１７の上部に配設され、冷却器１１７で発生する冷気を冷蔵室１０３，野菜室１０５へ吐出ダクト（図示せず）を通して送風している。１２３は戻りダクトであり、該戻りダクト１２３は背面壁１１９に冷却器１１７と並設して配設されていて、冷蔵室１０３，野菜室１０５の戻り冷気を冷却器１１７の下方へ送風する為に設けられている。
【０００４】
このような冷蔵庫では、冷蔵室１０３が冷凍室１０７の上方に位置する構成であるので、冷蔵室を冷却する冷気は、冷却器１１７から上方へ移動して冷蔵室１０３へ吹き出した後、冷蔵庫下に野菜室１０５が設けられている場合は野菜室１０５へ吹き出すか、あるいは冷却器が配置された位置へ降下して戻って行く。ここで、もし、冷蔵室１０３もしくは、野菜室１０５からの冷気の戻り通路を冷気が冷却器１１７下方の中央付近から吹き出せるように構成した場合には、冷却器の下方に通路を配設しなければならない。このため、その分冷蔵庫の貯蔵室の容積が低下してしまうので好ましくない。この理由から、一般的に、冷凍室より冷蔵室が上方に設けられている冷蔵庫では、冷蔵室（野菜室）の冷気戻り通路は冷却器と側方に並設して、冷気を冷却器の側方を流通させる構成となっている。
【０００５】
上記のような構成の従来技術の冷蔵庫は、例えば特開平７−３２４８５３号公報に開示されている。
【０００６】
【発明が解決しようとする課題】
しかして、冷蔵室１０３と野菜室１０７の湿気を含んだ冷気は戻りダクト１２３を通って冷却器１１７の側下方から吹き出すため図６に示すような着霜状態となる。このように戻りダクト側に近い方が戻りダクト側から遠方よりも着霜が厚くなるのは、戻りダクト１２３から出た冷気は冷却器１１７の下方に送風されてもこの冷気を上方に吸引する冷気循環用ファン１２２は冷却器１１７の上部にあること、さらに冷却器１１７の下部には通風抵抗となる除霜用ヒータ管１２４が配設されていることから、冷気が通風抵抗の少ない戻りダクト１２３側に近い冷却器１１７部を通過し、通風抵抗の大きい戻りダクト１２３側から遠い冷却器１１７部はほとんど通過しない為である。図６の着霜状態になると霜詰まりの為に冷却器１１７の上部の着霜の少ない部分に冷気が流れなくなり、冷却器１１７の冷却作用が極端に低下するという問題があった。
【０００７】
この霜詰まり対策の一方法として、冷却器の背面壁１１９側に冷気バイパス通路を設けることも考えられるが、この様にすると、背面壁１１９の壁厚が薄くなり断熱が悪くなること、冷気バイパス通路の成形が難しく成形の為の型代がかかる等の問題があった。
【０００８】
すなわち、従来の冷蔵庫に於いては、冷却器１１７の下部に霜詰まりが起こると通風抵抗が大となり、冷却器１１７の上部に戻り冷気が流れなくなり、冷却器１１７と戻り冷気との熱交換効率が低下し、冷蔵庫が冷えなくなるという問題があった。そこで、本発明は上記の問題を除去し、冷却器１１７の下部に霜詰りが起こっても冷蔵庫の冷却が継続できるようにして、全体的な運用コストの小さい冷蔵を提供することを目的とする。
【０００９】
【課題を解決するための手段】
上記の目的を達成する為に本発明の冷蔵庫は、庫内の背面壁に冷却器と庫内の戻りダクトとを並設し、この戻りダクトの吐出冷気を上記冷却器の片側下方より吸込ませ、該冷却器の下部を吸込口とし上部を吐出口とし、且つ冷却器の反背面壁側前部に密着もしくは近接して仕切板を設けた構造の冷蔵庫に於いて、前記冷却器の上部中央に配設される冷気循環用ファンと、前記冷却器の下方に配設され、前記冷却器に付着した霜を除霜する除霜ヒータと、冷却器の反背面壁側前部に設けられた仕切板に形成された冷気バイパス通路とを備え、前記冷却器の冷却フィン間隔は前記戻りダクトの冷気吐出口に近い側が大きく設定され、前記冷気バイパス通路は、高さＬが前記冷蔵庫の幅方向について段階的に変化し、且つ前記戻りダクト側の端部の高さが反戻りダクト側の端部での高さより高く、その通路の幅Ｍが一定の第一のバイパス通路と、前記第一のバイパス通路と連通し前記仕切板の通風方向で通路幅Ｍが段階的に変化し仕切板の上側ほどその通路幅Ｍが狭くなり、前記通風方向で前記戻りダクトより最下流の位置で通路幅が０となる第二のバイパス通路とを有する構成としたものである。これによって、冷却器の着霜によって冷却器が霜詰まりを起こした場合に仕切板に設けた冷気バイパス通路によって冷却器の通風を確保できるようにしたものである。
【００１１】
【発明の実施の形態】
本発明の実施例を図１ないし、図４で説明する。図１は本発明冷蔵庫の要部縦断面図、図２は本発明の仕切板の斜視図、図３は本発明の仕切板の冷気バイパス通路の説明図、図４は本発明の冷気バイパス通路の断面図である。
【００１２】
図に於いて、１は冷蔵庫本体であり、該冷蔵庫本体１は外箱と内箱との間にウレタンフォーム等の断熱材を充填し貯蔵室を形成する断熱箱体と、上方より冷蔵室３，野菜室５，冷凍室７と、その開口前面には各貯蔵室を開閉する扉９，１１，１３とで形成されている。１５は仕切壁であり、該仕切壁１５は上記野菜室５と冷凍室７とを熱的に仕切るために設けられている。１７は冷却器であり、該冷却器１７は庫内の背面壁１９に配設され、周知の冷凍サイクルの一部を構成する圧縮機２０に接続され、庫内の熱を吸熱している。２１は仕切板であり、該仕切板２１は上記冷却器１７の反背面壁側前部に密着もしくは近接されていて上記冷凍室７と冷却器１７のある冷却器室とを区画している。２２は冷気循環用ファンであり、該冷気循環用ファン２２は上記冷却器１７の上部に配設され、冷却器１７で発生する冷気を冷蔵室３，野菜室５へ吐出ダクト（図示せず）を通して送風している。２３は戻りダクトであり、該戻りダクト２３は背面壁１９に冷却器１７と並設して配設されていて、冷蔵室３，野菜室５の戻り冷気を冷却器１７の下方へ送風する為に設けられている。２４は除霜用ヒータ管であり、該除霜用ヒータ管２４は冷却器１７の下方に配設され、冷却器１７に付着した霜を除霜するものである。２５は冷気バイパス通路であり、該冷気バイパス通路２５は冷却器１７の反背面壁側前部に密着もしくは近接させた仕切板の冷却器側の側面に形成されていて、冷気バイパス通路の形状は図２，図３，図４で示す如くである。
【００１３】
図２で、冷却器１７の着霜は冷却器１７の下部で戻りダクト２３に近い側が多く、戻りダクトから離れるにしたがって少なくなる傾向がある。これは戻りダクトから出た冷気が冷却器１７の下方を通過する際に冷却器の下方に配設された除霜用ヒータ等２４で通風抵抗となること、更には冷気循環用ファン２２が冷却器１７の上部中央に配設されているため冷却器１７の戻りダクトに近い通風抵抗の少ない方の冷気が吸込まれ易くなることに起因しており、冷却器１７と戻りダクト２３とが並設する構造の冷蔵庫に於いては必然的な着霜現象である。このように冷却器１７の下部で戻りダクト２３に近い側程多く、戻りダクト２３から離れた側程少ない着霜によって霜詰まりを起こすと、着霜の上側の冷却器１７への通風が減少し、通風による冷却器１７との熱交換ができなくなるので、上記仕切板２１の冷却器側の面に冷気バイパス通路２５を設けたものである。
【００１４】
この際、戻りダクト１２３の冷気吹き出し口付近から冷却器１１７の下中央部あるいは戻りダクトが配設されていない側の部位まで冷気のバイパス通路を設けても良い。この場合、冷却器１１７の戻り通路１２３の冷気吹き出し口側の部分の着霜により冷気がこの部分に流れなくなっても、冷気が冷却器１１７の反吹き出し口側に移動して流れる。しかし、図７に示すように、冷却フィンは冷気の吹き出し口に近い側はその間隔が大きく設定されており、フィンへの着霜による冷気の詰まりの発生する時間は、吹き出し口の反対側のフィンへの着霜により冷気詰まりが発生する時間とあまりかわらない。
【００１５】
この冷気バイパス通路２５の高さＬは冷却器の着霜ＲＳＴＵに対応させて上記仕切板２１の左右方向で段階的に変化させ、庫内の戻りダクト２３側ほどその高さＬを高くしたものである。このようにすることによって、冷却器の下側に霜詰まりが起きてもバイパス通路２５によって霜詰まりの上側部分の冷却器１７に戻りダクト２３からの冷気を通風できるようにした。追えて、冷気バイパス通路２５を内箱の背面壁に形成せずに仕切板２１に形成したものであるから、背面壁の断熱厚さは従来の厚さに保持でき、冷気バイパス通路の形成も容易にできるようにした。このような構成によれば、フィンへの着霜による冷気の詰まりにより冷却効率が大きく低下するまでの時間を長くすることができ、冷蔵庫の全体的な運用コストを低減することができる。
【００１６】
また、上記仕切板２１に形成する冷気バイパス通路２５は通路幅Ｍが一定の通路２５ａ（ＨＡＤＩＪＫ）に加えて、仕切板２１の通風方向の上側ほどその通路幅Ｍが狭くなるバイパス通路２５ｂ（ＡＢＣＤ）を延設したものである。このようにすることによって通路幅Ｍが狭くなるバイパス通路２５ｂの下側はその上側よりも通路抵抗が小さくなり、戻りダクト２３からの冷気は通路幅Ｍが狭くなるバイパス通路２５ｂの下側から順次吸込まれる。
【００１７】
冷気の詰まりが発生するまでの時間を長くするためには、バイパス通路の高さを大きくすれば良い。しかし、着霜を生じていない状態では、戻ってきた温度の比較的高い冷気がフィンの高い位置に侵入して再び貯蔵庫へ吐出されてしまうショートサーキットが生じてしまい、冷却効率が大きく低下してしまう。上記のような構成によって通路幅Ｍが狭くなるバイパス通路２５ｂの上側から吸込まれる吸込み冷気のショートサーキットをなくすことができるようにした。このため、ショートサーキットを生じることなく、冷気詰まりが発生するまでの時間を長くし、運用コストを低下させることができる。
【００１８】
なお、通路幅Ｍは仕切板２１のＰ点でＭ，Ｏ点で０となり、Ｐ点からＯ点の方向が吸込み冷気の方向である。また、通路幅Ｍが狭くなるバイパス通路２５ｂはＰ→Ｏ方向に直角に設けられている。
【００１９】
【発明の効果】
以上説明したとおり、本発明によれば、冷却器の反背面壁側前部に設けられた仕切板の冷却器との密着もしくは近接している高さの半分以下の部分に冷気バイパス通路を形成し、この冷気バイパス通路の高さＬを上記仕切板の左右方向で段階的に変化させ、庫内の戻りダクト側ほどその高さＬを高くしたものである。これによって、冷却器１７の下部に霜詰まりが起きても戻りダクト２３側ほどその高さＬを高くした冷気バイパス通路２５により、霜詰まりの上側部分の冷却器１７への通風が確保され、冷却器１７の熱交換が継続され、冷却器１７の霜詰まりによる冷却力の低下を解消したものである。また、冷気バイパス通路２５は内箱の背面壁部ではなく、仕切板２１に形成したものであるから、背面断面厚さが薄くなり断熱が悪くなることもなく、パイバス通路の形成も容易に出来るというメリットを有するものである。
【００２０】
さらには、上記仕切板２１に形成した冷気バイパス通路２５は通路幅Ｍが一定の通路２５ａに加えて、仕切板２１の通風方向で通路幅Ｍが段階的に変化し仕切板２１の上側ほどその通路幅Ｍが狭くなる冷気バイパス通路２５ｂを延設したものである。これによって、冷却器１７の下部に霜詰まりが起きても通路幅Ｍが一定の通路２５ａを通って通路幅Ｍが狭くなる冷気バイパス通路２５ｂの下側より順次吸込まれ、吸込み冷気ショートサーキットをなくし、冷却器１７の霜詰まりによる冷却力の低下を解消したものである。
【図面の簡単な説明】
【図１】本発明冷蔵庫の要部縦断面図である。
【図２】本発明の仕切板の斜視図である。
【図３】本発明の仕切板の冷気バイパス通路の説明図である。
【図４】本発明の仕切板の冷気バイパス通路の断面図である。
【図５】従来冷蔵庫の要部縦断面図である。
【図６】従来の冷蔵庫の冷却器の着霜状態を示す説明図である。
【図７】本発明及び従来の冷蔵庫の冷却器とその周辺の機器の配置を示す説明図である。
【符号の説明】
１・・・冷蔵庫本体                ３・・・冷蔵室
５・・・野菜室                    ７・・・冷凍室
１５・・・仕切壁                  １７・・・冷却器
１９・・・背面壁                  ２０・・・圧縮機
２１・・・仕切板                  ２２・・・冷気循環用ファン
２３・・・戻りダクト              ２４・・・除霜用ヒータ管
２５・・・冷気バイパス通路
【図１】
0003584698.tif 000002
【図２】
0003584698.tif 000003
【図３】
0003584698.tif 000004
【図４】
0003584698.tif 000005
【図５】
0003584698.tif 000006
【図６】
0003584698.tif 000007
【図７】
0003584698.tif 000008